(57)【特許請求の範囲】
【請求項１】
等分割された個々のインキキーゾーンの絵柄面積率によってインキキー開度を設定する方法において、個々のインキキー開度のプリセットデータに対して左右へ流れるインキ量若しくは左右から流れ込むインキ量を補正し、印刷物に適正なインキキー開度を求める補正工程と、この補正工程での補正前後のインキキープリセットデータのインキキー開度の合計を対比し、補正値の適正を確認する確認工程とを備えたことを特徴とする刷版絵柄面積率データのインキキープリセット値補正方法。
【発明の詳細な説明】
【０００１】
【発明の属する技術分野】
本発明は印刷機のインキプリセットに関するが、詳しくは刷版絵柄面積率データによるインキキープリセット値の補正方法に関するものである。
【０００２】
【従来の技術】
通常、印刷機におけるインキプリセットとは特開昭６３ー２１６７４５号公報等によってすでに知られているとおりである。すなわち、印刷に使用される刷版の各インキゾーンごとの絵柄面積率をあらかじめ測定しておき、この測定値に基づいてインキゾーンに対応するインキキーの開度量を事前に調整して準備時間を極小化する技術のことをいい、その絵柄面積率の測定は特開平７ー８９０５５号公報等に開示されているように一定幅に等分割されたインキゾーンごとの絵柄面積率を一定の測定域を有する反射光量測定型のセンサによって光電的に測定することによって行われており、その測定値は数値化されてインキキーの開度量設定に利用されている。
【０００３】
また熟練したオペレータは、上記のようにて得られた各インキゾーンの絵柄面積率をそのままインキキーの開度量とすることはない。すなわち、オペレータは例えばゾーンＮｏ．５・６・７・８の絵柄面積率の測定値が０、１００・０、１００であったとすればインキキーの開度量をそのまま０、１００・０、１００とするのではなく、２５・７５・２５・７５と云うように隣接するインキゾーンの測定値をも考慮に入れて経験的に微調整して実際的なインキプリセットを行なっている。これはインキ供給装置においてインキローラが横揺れするなどの事情があってゾーン分割型のインキ供給量設定に限界があるので、優秀なオペレータであるほど経験に基づいた微調整を行なう必要がある。
【０００４】
そこで、最近は特開平１０ー３１５４３７号公報で開示されているような刷版の絵柄面積率を設定する方法が開発されている。この従来方法は、優秀なオペレータの有する微調整技術に倣い非常に実際的な刷版の絵柄面積率設定方法を得るとことを目的とし、所望のインキゾーンの測定値にインキゾーンの前後方向に特定間隔ずらせて得た測定値を算入してインキゾーンの絵柄面積率とするところに特徴を有し、その機構は「等分割された各々のインキゾーンの絵柄面積率を一定幅の測定域を有する光電センサによって測定して設定する方法であって、所望のインキゾーンの測定値に該インキゾーンの前後方向に特定間隔にずらせて得た測定値を算入して該インキゾーンの絵柄面積率とする刷版の絵柄面積率設定方法。」（特許請求の範囲参照）にある。
【０００５】
更にこの従来方法は、図３と図４に示すように測定値Ａｎをそのままインキキーの開度量の設定に利用するのではなく、センサ１３をインキゾーンＡｎの前後方向に特定間隔、例えばゾーン幅Ｐの半分だけずらせて別途に測定を行ない、半ピッチずらせた仮想のゾーンにおいて行なわれた測定結果をそれぞれＢｎ、Ｂｎ＋１とし、更に所望の第ｎ番目のインキゾーンの設定値Ｄｎはゾーンｎの測定値Ａｎのみならず隣接領域をも考慮し、半ピッチずらせて測定した仮想のゾーンの測定値Ｂｎ、Ｂｎ＋１をも加味して算出する。すなわち、Ｄｎ＝Ｂｎ／４＋Ａｎ／２＋Ｂｎ＋１／４とするのであり、ＤｎはＡｎを５０％、Ｂｎ・Ｂｎ＋１をそれぞれ２５％を加味して重み付けした値として最終的に決定されるのである。なお、１１は刷版、１２は絵柄、１３は光電センサである。
【０００６】
このように構成される従来方法は、等分割された各々のインキゾーンの絵柄面積率を一定幅の測定域を有する光電センサによって測定し設定する方法である。すなわち、この光電センサによりインキキーゾーンに対する絵柄面積率データをインキキーゾーンに対して特定間隔にずらして測定された絵柄面積率データに調整し、この調整データをインキキーゾーンに対して左右の絵柄量の影響を調整して絵柄面積率データに算定し、更にインキツボキー開度に変換してインキツボキーにプリセットする方法である。
【０００７】
【発明が解決しようとする課題】
かかる従来の光電センサによる絵柄面積率の測定方法によらずに、左右のインキキー開度によりインキキー開度補正量を算出しインキキープリセットデータを補正して適正なインキキー開度を得るところに、本発明が解決しようとする課題を有する。
【０００８】
【課題を解決するための手段】
本発明は上記の如き課題を解決するために開発したものであって、等分割された個々のインキキーゾーンの絵柄面積率によってインキキー開度を設定する方法において、個々のインキキー開度のプリセットデータに対して左右へ流れるインキ量若しくは左右から流れ込むインキ量を補正し、印刷物に適正なインキキー開度を求める補正工程と、この補正工程での補正前後のインキキープリセットデータのインキキー開度の合計を対比し、補正値の適正を確認する確認工程とを備えたことを特徴とする刷版絵柄面積率データのインキキープリセット値補正方法である。
【０００９】
すなわち、本発明の目的はインキローラ上で左右方向に拡散するインキ量を算出してインキキープリセットデータに補正を与えて適正なインキキー開度を求めるところにあり、またその構成は所望のインキキープリセットデータに対して左右のインキキー開度との差を求め所望のインキキープリセットデータに補正を加えて適正なインキキー開度を求めるところにある。つまり、本発明は所望のインキキープリセットデータに対して左右に隣接するインキキー開度との差を求め、この差をもとにインキの流入量と流出量を算出して所望のインキキープリセットデータに補正を加えて印刷適正状態のキー開度を求めるものであり、またその補正を加えたインキキープリセットデータの合計と補正前のインキキープリセットデータの合計を照合して補正値が適正であるかどうかを確認する方法である。
【００１０】
【発明の実施の形態】
本発明の実施形態は、等分割された個々のインキキーゾーンの絵柄面積率によってインキキー開度を設定する方法において、個々のインキキー開度のプリセットデータに対して左右へ流れるインキ量若しくは左右から流れ込むインキ量を補正し、印刷物に適正なインキキー開度を求める補正工程と、この補正工程での補正前後のインキキープリセットデータのインキキー開度の合計を対比し、補正値の適正を確認する確認工程とを備えたことを特徴とする刷版絵柄面積率データのインキキープリセット値補正方法であるから、従来のような光電センサを用いた絵柄面積率計によらないでインキツボキーに対して補正データを得ることができる。
【００１１】
また本発明の実施形態は、インキキーゾーンに対する絵柄面積率データを所定の計算式に従ってインキキー開度に変換する変換工程と、該変換工程によりインキキー開度への変換後に左右のキーとの開き量の差を算出して前記絵柄面積率データを補正するデータ補正工程と、該データ補正工程で左右のインキキー開度に極端な差があって該データ補正工程により算出された左右のインキ量の影響を補正した絵柄面積率データがマイナス値になった場合にはその値を左右のインキキーゾーンに対する絵柄面積率データに振り分けてプラス値とする振り分け工程と、前記データ補正工程あるいは前記振り分け工程を経て得られた補正後の絵柄面積率データから所定の計算式に従って求めた値を最終のインキキー開度として決定する開度決定工程と、該開度決定工程によって決定した最終インキキー開度をインキツボキーにプリセットするプリセット工程と、からなることを特徴とする刷版絵柄面積率データのインキキープリセット値補正方法であり、更にこの方法に前記開度決定工程で求めた最終インキキー開度の総和と補正前の変換工程で得られた補正前のインクキー開度の総和とを対比する対比工程と、該対比工程でその総和の差が所定の値以上である場合はエラー表示を行うエラー表示工程とをさらに備えたことを特徴とするインキキープリセット値補正方法であるから、インキローラ上で左右に拡散するインキ量を算出してインキキープリセットデータに補正を与えて印刷物の適正なインキキー開度が得られる。
【００１２】
【実施例】
以下、図面によって本発明の実施例について説明する。
図１と図２は、本発明からなる刷版絵柄面積率データのインキキープリセット値の補正方法を示したものである。本発明は、従来の刷版絵柄面積率測定方法（特開平１０ー３１５４３７号）を改良したものであり、特に光電センサ等を用いた絵柄面積率計を使用せずに行なうことができるようにしたものであるから、その特徴についてのみを説明する。
【００１３】
まず、インキキーゾンに対する絵柄面積率データをインキツボキー開度に変換し、更に左右のインキキーとの開き量の差を算出してインキ量の補正を与える。この与えられた補正によって、左右のインキ量の影響を補正したインキキー開度をインキツボキーにプリセットさせることができる。
次に本発明の具体的な実施方法は、おおむね次のような方法で行なわれる。
▲１▼絵柄面積率データを変換してインキキー開度にする。
▲２▼左右のインキキー開度との差を算出する。
▲３▼前記算出された値をもとにして左右に流れるインキ量を算出する。
▲４▼前記算出されたインキ量の値をもとにして絵柄面積率データを補正する。
▲５▼その際、左右のインキキー開度に極端な差がある場合は絵柄面積の値がマイナスになることがあるため、インキきー開度がマイナス値になったところの値を左右のインキキーに振り分ける。
▲６▼上記計算の確認のために補正前の絵柄面積率の値の合計と補正後の値の合計とを比較し、一定以上の値をオーバーしている場合はエラーメッセージの表示を出力させる。その際、手動補正又は別の補正値を与えた計算式で計算して適正な補正値の得られる計算式を自動的に選ぶようにする。
【００１４】
【発明の効果】
本発明は、等分割された個々のインキキーゾーンの絵柄面積率によってインキキー開度を設定する方法において、個々のインキキー開度のプリセットデータに対して左右へ流れるインキ量若しくは左右から流れ込むインキ量を補正し、印刷物に適正なインキキー開度を求める補正工程と、この補正工程での補正前後のインキキープリセットデータのインキキー開度の合計を対比し、補正値の適正を確認する確認工程とを備えたことを特徴とする刷版絵柄面積率データのインキキープリセット値補正方法であり、また、インキキーゾーンに対する絵柄面積率データを所定の計算式に従ってインキキー開度に変換する変換工程と、該変換工程によりインキキー開度への変換後に左右のキーとの開き量の差を算出して前記絵柄面積率データを補正するデータ補正工程と、該データ補正工程で左右のインキキー開度に極端な差があって該データ補正工程により算出された左右のインキ量の影響を補正した絵柄面積率データがマイナス値になった場合にはその値を左右のインキキーゾーンに対する絵柄面積率データに振り分けてプラス値とする振り分け工程と、前記データ補正工程あるいは前記振り分け工程を経て得られた補正後の絵柄面積率データから所定の計算式に従って求めた値を最終のインキキー開度として決定する開度決定工程と、該開度決定工程によって決定した最終インキキー開度をインキツボキーにプリセットするプリセット工程と、からなることを特徴とする刷版絵柄面積率データのインキキープリセット値補正方法であり、更にこの方法に前記開度決定工程で求めた最終インキキー開度の総和と補正前の変換工程で得られた補正前のインクキー開度の総和とを対比する対比工程と、該対比工程でその総和の差が所定の値以上である場合はエラー表示を行うエラー表示工程とをさらに備えたことを特徴とするインキキープリセット値補正方法であるから、従来方法では得られない次のような多くの効果が得られる。
ア、従来方法のように光電センサ等を用いた絵柄面積率計によらず、補正値を算出することができる。
イ、簡単容易な計算でもって補正値を算出することができる。
ウ、インキキー開度データに対しての補正であるから絵柄面積率データの形式を問わずに例えば、絵柄面積率計（プレートスキャナー）のデータ、コンピュータからのデジタルデータオペレータによる手入力等に基づいてつくられたインキキー開度にも対応することができる。
エ、印刷オペレータにとって、インキキー開度を調整することにより印刷中の色調調整を行なっていることからインキキー開度による補正の方が感覚的にわかりやすい。
オ、印刷絵柄によっては一つの補正式だけでは補正しきれない場合があり、その場合はインキキープリセットデータの合計と補正前のインキキープリセットデータの合計を照合して補正値が適正であるかの確認をすることができる。
カ、また補正値が正しくない場合は、エラーメッセージを出力させるとともに手動補正又は別にいくつか用意された補正計算式で計算して自動的に最適な補を行なうことができ、しかも絵柄による補正の不良発生を未然に防ぐことができる。
【図面の簡単な説明】
【図１】本発明方法を示した説明概要図。
【図２】本発明方法を示した説明概要図。
【図３】従来方法を示した説明概要図。
【図４】従来方法を示した説明概要図。
【符号の説明】
１    インキツボキー          ２    インキ元ローラ
３    刷版                    １２    絵柄
１３    光電センサ
Ａ    デジタルデータ          Ｂ    カラーコントロールスタンド
Ｃ    印刷機
【図１】
0004344432.tif 000002
【図２】
0004344432.tif 000003
【図３】
0004344432.tif 000004
【図４】
0004344432.tif 000005